(57)【要約】【課題】  書籍データの転売を防止し、中古販売市場の参入を防止して正当な利益を得ることのできる電子書籍配信システムと、書籍データを表示する携帯に適した電子書籍表示装置を提供すること。【解決手段】  集中管理サーバ２は、書籍を各ページ毎にデジタルデータ化したのち１冊毎に圧縮した書籍データとして集約するとともに、各書籍データとこの書籍データに対応する書籍の書誌情報とを結びつけたテーブルを形成して各書籍データと対応する書誌情報を記憶し、前記圧縮した書籍データを解凍可能な電子書籍表示装置５を所有する利用者が前記電子書籍表示装置５により移動体通信機３を介して前記集中管理サーバ２へアクセスし、前記電子書籍表示装置５に表示された各書籍データの書誌情報から購入を希望する書籍データを選択した後、前記集中管理サーバ２が前記電子書籍表示装置５へ書籍データを配信し、前記書籍データに設定された料金を前記利用者へ課金する。【選択図】      図１
2007304885.tif 000002
【特許請求の範囲】
【請求項１】
書籍をデジタルデータ化した複数の書籍データを集約し、各書籍データを販売・配信する集中管理サーバと、この集中管理サーバと移動体通信機によりネットワーク接続され、前記書籍データを購入、受信し、この書籍データを表示する電子書籍表示装置とからなる電子書籍配信システムにおいて、
前記集中管理サーバは、書籍を各ページ毎にデジタルデータ化したのち１冊毎に圧縮した書籍データとして集約するとともに、各書籍データとこの書籍データに対応する書籍の書誌情報とを結びつけたテーブルを形成して各書籍データと対応する書誌情報を記憶し、前記圧縮した書籍データを解凍可能な電子書籍表示装置を所有する利用者が前記電子書籍表示装置により移動体通信機を介して前記集中管理サーバへアクセスし、前記電子書籍表示装置に表示された各書籍データの書誌情報から購入を希望する書籍データを選択した後、前記集中管理サーバが前記電子書籍表示装置へ書籍データを配信し、前記書籍データに設定された料金を前記利用者へ課金することを特徴とする電子書籍配信システム。
【請求項２】
書籍をデジタルデータ化した複数の書籍データを集約した集中管理サーバと、この集中管理サーバとネットワーク接続され前記集中管理サーバに集約された各書籍データを販売・配信する電子書籍配信端末と、この電子書籍配信端末と接続され、前記書籍データを購入、受信し、この書籍データを表示する電子書籍表示装置とからなる電子書籍配信システムにおいて、
前記集中管理サーバは、書籍を各ページ毎にデジタルデータ化したのち１冊毎に圧縮した書籍データとして集約するとともに、各書籍データとこの書籍データに対応する書籍の書誌情報とを結びつけたテーブルを形成して各書籍データと対応する書誌情報を記憶し、前記電子書籍配信端末は前記集中管理サーバに集約された書籍データの情報を表示するタッチパネル式表示装置を有し、前記圧縮した書籍データを解凍可能な電子書籍表示装置を所有する利用者が前記電子書籍表示装置を前記電子書籍配信端末に接続し、前記電子書籍配信端末のタッチパネル式表示装置に表示された前記集中管理サーバに集約された各書籍データの書誌情報から購入を希望する書籍データを選択した後、前記集中管理サーバが前記電子書籍配信端末を介して前記電子書籍表示装置へ書籍データを配信し、前記書籍データに設定された料金を前記利用者へ課金することを特徴とする電子書籍配信システム。
【請求項３】
書籍をデジタルデータ化した複数の書籍データを集約し、各書籍データを販売・配信する電子書籍配信端末と、この電子書籍配信端末と接続され、前記書籍データを購入、受信し、この書籍データを表示する電子書籍表示装置とからなる電子書籍配信システムにおいて、
前記電子書籍配信端末は、タッチパネル式表示装置と、書籍を各ページ毎にデジタルデータ化したのち１冊毎に圧縮した書籍データとして集約するとともに、各書籍データとこの書籍データに対応する書籍の書誌情報とを結びつけたテーブルを形成して各書籍データと対応する書誌情報を記憶したハードディスクとを有し、前記圧縮した書籍データを解凍可能な電子書籍表示装置を所有する利用者が前記電子書籍表示装置を前記電子書籍配信端末に接続し、前記タッチパネル式表示装置に表示された前記ハードディスクに集約された各書籍データの書誌情報から購入を希望する書籍データを選択した後、前記ハードディスクに集約された書籍データを前記電子書籍表示装置へ配信し、前記書籍データに設定された料金を前記利用者へ課金することを特徴とする電子書籍配信システム。
【請求項４】
防水性の樹脂材料により少なくとも前面が透明に形成されるとともに、端子取出し口が形成され、この端子取出し口に開閉自在に配設され周縁部が弾性樹脂材料により形成され前記端子取出し口に水密に係合するように形成された蓋部材を有するケーシング内に、前記ケーシングの前面より視認可能に配設された有機ＥＬ表示素子と、前記有機ＥＬ表示素子の制御を行う制御部と、前記制御部に配設されているメモリと、前記メモリに情報を入力するためのインタフェースと、前記有機ＥＬ表示素子の側方に配置され前記有機ＥＬ表示素子に表示される情報の操作を行う複数の静電容量式のスイッチと、バッテリーとを備えるとともに、前記ケーシングの端子取出し口に、前記メモリに情報を入力するとともに、前記バッテリーの充電を行うための外部入力ケーブルが接続される入力専用の入力端子が配設されていることを特徴とする電子書籍表示装置。
【請求項５】
防水性の樹脂材料により少なくとも前面が透明に形成され、ヒンジ部を介して開閉自在に連結された２つのケーシングを有し、少なくとも一方のケーシングには、端子取出し口が形成され、この端子取出し口に周縁部が弾性樹脂材料により形成され前記端子取出し口に水密に係合するように形成された蓋部材が開閉自在に配設され、各ケーシング内に、前記各ケーシングの前面より視認可能にそれぞれ配設された有機ＥＬ表示素子が配設されるとともに、前記２つの有機ＥＬ表示素子の外側に位置して配設され前記各有機ＥＬ表示素子にそれぞれ表示される情報の操作を行う複数の静電容量式のスイッチと、少なくとも一方のケーシング内に前記各有機ＥＬ表示素子の制御を行う制御部と、前記制御部に配設されているメモリと、前記メモリに情報を入力するためのインタフェースと、バッテリーとを備えるとともに、前記一方のケーシングの端子取出し口に、前記メモリに情報を入力するとともに、前記バッテリーの充電を行うための外部入力ケーブルが接続される入力専用の入力端子が配設され、前記各有機ＥＬ表示素子が前記ヒンジ部内に挿通されたフレキシブル回路基板により連結されていることを特徴とする電子書籍表示装置。
【請求項６】
前記制御部に接続された無線通信部と、この無線通信部に接続されたアンテナとを内蔵したことを特徴とする請求項４または請求項５に記載の電子書籍表示装置。
【発明の詳細な説明】
【技術分野】
【０００１】
本発明は、書籍の内容をデジタルデータ化した書籍データとして販売・配信する電子書籍配信システムと、配信された書籍データを表示する電子書籍表示装置とに係り、特に、書籍データの転売を防止し、中古販売市場の参入を防止して純利益を得ることのできる電子書籍配信システムと、書籍データを表示する携帯に適した電子書籍表示装置とに関する。
【背景技術】
【０００２】
近年、ノート型のパーソナルコンピュータやＰＤＡ（Ｐｅｒｓｏｎａｌ  Ｄｉｇｉｔａｌ  Ａｓｓｉｓｔａｎｔ）といった携帯端末において、これら携帯端末に書籍データを入力して書籍データを閲覧するということが一般的となってきている。また、近年、コンビニエンスストアや公共施設などの多くにいわゆるキオスク情報端末が設置され、これらキオスク情報端末において書籍データを販売する技術が提案されている。
【０００３】
このような書籍データの売買および閲覧に関するシステムの一例としては、それぞれ記録媒体の１つであるメモリーカードを着脱可能な販売端末および携帯端末から構成されている。
【０００４】
前記販売端末は、メモリーカードスロット、操作部、制御部、電子カタログ書込制御部、書籍データ記憶部、書籍データ書込制御部および出力部を備えている。
【０００５】
前記制御部は、ＣＰＵおよびメモリから構成されており、各部の制御、データの一時的な格納およびデータの転送などを行うようになっている。
【０００６】
前記書籍データ記憶部は、それぞれデジタルデータ化された書籍データと、これら書籍データの一覧を記憶しており、この一覧には、各タイトル、各タイトル毎の価格や必要メモリ容量などが関係づけられて記憶されている。
【０００７】
前記操作部は、利用者が各制御を選択するためのボタンやキーなどから構成されている。
【０００８】
前記電子カタログ書込制御部は、前記書籍データ記憶部から一覧を読み出し、前記メモリカードスロットに装着されたメモリカードへ書き込む機能を有している。
【０００９】
前記書籍データ書込制御部は、前記操作部により利用者が選択した書籍データを前記書籍データ記憶部から読み出し、この書籍データを前記メモリーカードスロットに装着されたメモリーカードへ書き込む機能を有している。
【００１０】
前記出力部は、前記電子カタログ書込制御部においてメモリーカードに書籍データが書き込まれた後、書籍データのタイトルや価格などが記載された用紙である請求書を出力するようになっている。
【００１１】
つぎに、前記携帯端末は、メモリカードスロット、操作部、制御部、表示部および書籍データ表示制御部とを備えている。
【００１２】
前記制御部は、ＣＰＵおよびメモリから構成されており、各部の制御、データの一時的な格納およびデータの転送などが行われるようになっている。
【００１３】
前記操作部は、利用者が各制御を選択するためのボタン、矢印キーおよびキーボードなどから構成されている。
【００１４】
前記書籍データ表示制御部は、前記操作部の操作によりメモリカードスロットに装着されたメモリカード内に記憶されている書籍データの一覧を読み出して内部のメモリに記憶するとともに、書籍データを前記表示部に表示する機能を有している。
【００１５】
そして、このような構成からなる販売端末および携帯端末による書籍データの売買および閲覧方法について説明する。
【００１６】
まず、コンビニエンスストアなどの店頭に設置された販売端末のメモリーカードスロットに利用者が所有しているメモリーカードを装着し、販売端末の操作部を操作して販売端末の書籍データ記憶部に格納されている書籍データの一覧をメモリーカードに入力する。
【００１７】
つぎに、書籍データの一覧が入力されたメモリーカードを利用者の携帯端末のメモリーカードスロットに装着し、携帯端末の操作部を操作して一覧の中から購入したい書籍データの選択を行い、メモリーカードに記憶させる。
【００１８】
そして、販売端末においてメモリーカードへの書籍データの書込みが終了すると、出力部より書籍データ記憶部に記憶されている書籍データのタイトルやその価格などが記載されたレシートが出力され、利用者はその請求書を会計に提出して精算を行う。
【００１９】
そして、利用者は、書籍データが書き込まれたメモリーカードを携帯端末のメモリーカードスロットに装着し、操作部を操作して取得した書籍データを選択することにより、表示部に書籍データが表示され閲覧が可能となる（例えば、特許文献１参照）。
【００２０】
【特許文献１】特開２００４−１６４２８５号公報
【発明の開示】
【発明が解決しようとする課題】
【００２１】
しかしながら、前述したような従来の書籍データの売買および閲覧方法においては、書籍データを記録媒体の１つであるメモリーカードに記録して売買および閲覧していたため、書籍データの購入者がメモリーカードを第三者に貸与することができ、この結果、１つのメモリーカードから複数の携帯端末に書籍データを記憶させることができ、正規の販売数が減少してしまうおそれがあった。
【００２２】
また、近年、このような書籍データを表示することのできる携帯端末の携帯性が向上してきているため、様々な状況下で使用できることが望まれている。例えば、入浴中に浴室内に書籍を持ち込み読書すると書籍が濡れてしまい書籍を傷めてしまうため、書籍データを表示できる携帯端末が防水性を有することが望ましい。
【００２３】
そこで、本発明は、書籍データの転売を防止し、中古販売市場の参入を防止して正当な利益を得ることのできる電子書籍配信システムと、書籍データを表示する携帯に適した電子書籍表示装置とを提供することを目的とするものである。
【課題を解決するための手段】
【００２４】
前述した目的を達成するため本発明に係る電子書籍配信システムの特徴は、書籍をデジタルデータ化した複数の書籍データを集約し、各書籍データを販売・配信する集中管理サーバと、この集中管理サーバと移動体通信機によりネットワーク接続され、前記書籍データを購入、受信し、この書籍データを表示する電子書籍表示装置とからなる電子書籍配信システムにおいて、前記集中管理サーバは、書籍を各ページ毎にデジタルデータ化したのち１冊毎に圧縮した書籍データとして集約するとともに、各書籍データとこの書籍データに対応する書籍の書誌情報とを結びつけたテーブルを形成して各書籍データと対応する書誌情報を記憶し、前記圧縮した書籍データを解凍可能な電子書籍表示装置を所有する利用者が前記電子書籍表示装置により移動体通信機を介して前記集中管理サーバへアクセスし、前記電子書籍表示装置に表示された各書籍データの書誌情報から購入を希望する書籍データを選択した後、前記集中管理サーバが前記電子書籍表示装置へ書籍データを配信し、前記書籍データに設定された料金を前記利用者へ課金する点にある。
【００２５】
このような構成を採用したことにより、書籍データが移動体通信機により集中管理サーバにネットワーク接続した電子書籍表示装置に直接販売・配信されるため、従来のメモリーカードを使用した書籍データの販売方法のように、メモリーカードを介して複数の利用者の携帯端末に書籍データが入力されることを防止することができ、正当な数量を販売することができる。また、書籍データの圧縮形式を、専用の電子書籍表示装置によってのみ解凍可能な形式にすることにより、他の表示装置による閲覧を規制することができるとともに、転売および二次複製を防止することができる。
【００２６】
また、本発明に係る電子書籍配信システムの他の特徴は、書籍をデジタルデータ化した複数の書籍データを集約した集中管理サーバと、この集中管理サーバとネットワーク接続され前記集中管理サーバに集約された各書籍データを販売・配信する電子書籍配信端末と、この電子書籍配信端末と接続され、前記書籍データを購入、受信し、この書籍データを表示する電子書籍表示装置とからなる電子書籍配信システムにおいて、前記集中管理サーバは、書籍を各ページ毎にデジタルデータ化したのち１冊毎に圧縮した書籍データとして集約するとともに、各書籍データとこの書籍データに対応する書籍の書誌情報とを結びつけたテーブルを形成して各書籍データと対応する書誌情報を記憶し、前記電子書籍配信端末は前記集中管理サーバに集約された書籍データの情報を表示するタッチパネル式表示装置を有し、前記圧縮した書籍データを解凍可能な電子書籍表示装置を所有する利用者が前記電子書籍表示装置を前記電子書籍配信端末に接続し、前記電子書籍配信端末のタッチパネル式表示装置に表示された前記集中管理サーバに集約された各書籍データの書誌情報から購入を希望する書籍データを選択した後、前記集中管理サーバが前記電子書籍配信端末を介して前記電子書籍表示装置へ書籍データを配信し、前記書籍データに設定された料金を前記利用者へ課金するする点にある。
【００２７】
このような構成を採用したことにより、書籍データが電子書籍配信端末を介して集中管理サーバにネットワーク接続した電子書籍表示装置に直接販売・配信されるため、従来のメモリーカードを使用した書籍データの販売方法のように、メモリーカードを介して複数の利用者の携帯端末に書籍データが入力されることを防止することができ、正当な数量を販売することができる。また、書籍データの圧縮形式を、専用の電子書籍表示装置によってのみ解凍可能な形式にすることにより、他の表示装置による閲覧を規制することができるとともに、転売および二次複製を防止することができる。
【００２８】
また、本発明に係る電子書籍配信システムの他の特徴は、書籍をデジタルデータ化した複数の書籍データを集約し、各書籍データを販売・配信する電子書籍配信端末と、この電子書籍配信端末と接続され、前記書籍データを購入、受信し、この書籍データを表示する電子書籍表示装置とからなる電子書籍配信システムにおいて、前記電子書籍配信端末は、タッチパネル式表示装置と、書籍を各ページ毎にデジタルデータ化したのち１冊毎に圧縮した書籍データとして集約するとともに、各書籍データとこの書籍データに対応する書籍の書誌情報とを結びつけたテーブルを形成して各書籍データと対応する書誌情報を記憶したハードディスクとを有し、前記圧縮した書籍データを解凍可能な電子書籍表示装置を所有する利用者が前記電子書籍表示装置を前記電子書籍配信端末に接続し、前記タッチパネル式表示装置に表示された前記ハードディスクに集約された各書籍データの書誌情報から購入を希望する書籍データを選択した後、前記ハードディスクに集約された書籍データを前記電子書籍表示装置へ配信し、前記書籍データに設定された料金を前記利用者へ課金する点にある。
【００２９】
このような構成を採用したことにより、書籍データが電子書籍配信端末にケーブルにより接続された電子書籍表示装置に直接販売・配信されるため、従来のメモリーカードを使用した書籍データの販売方法のように、メモリーカードを介して複数の利用者の携帯端末に書籍データが入力されることを防止することができ、正当な数量を販売することができる。また、書籍データの圧縮形式を、専用の電子書籍表示装置によってのみ解凍可能な形式にすることにより、他の表示装置による閲覧を規制することができるとともに、転売および二次複製を防止することができる。さらに、電子書籍配信端末のハードディスクを書き換え、あるいは交換することにより、１つの電子書籍配信端末において様々な書籍データの販売が可能となる。
【００３０】
また、本発明に係る電子書籍表示装置の特徴は、防水性の樹脂材料により少なくとも前面が透明に形成されるとともに、端子取出し口が形成され、この端子取出し口に開閉自在に配設され周縁部が弾性樹脂材料により形成され前記端子取出し口に水密に係合するように形成された蓋部材を有するケーシング内に、前記ケーシングの前面より視認可能に配設された有機ＥＬ表示素子と、前記有機ＥＬ表示素子の制御を行う制御部と、前記制御部に配設されているメモリと、前記メモリに情報を入力するためのインタフェースと、前記有機ＥＬ表示素子の側方に配置され前記有機ＥＬ表示素子に表示される情報の操作を行う複数の静電容量式のスイッチと、バッテリーとを備えるとともに、前記ケーシングの端子取出し口に、前記メモリに情報を入力するとともに、前記バッテリーの充電を行うための外部入力ケーブルが接続される入力専用の入力端子が配設されている点にある。
【００３１】
このような構成を採用したことにより、装置内に水気が浸入することを防止することができ、浴室内などの多湿空間においてもメモリに入力された書籍データを表示して閲覧することができるとともに、有機ＥＬ表示装置を採用することにより広い視野角を確保することができ、様々な姿勢においても閲覧が可能となる。また、スイッチを静電容量式にすることにより、スイッチをケーシング内に配設しても操作が可能となるため、防水構造であって好適な操作性を得ることができる。さらに、出力手段を備えないため、書籍データの転用、転売を防止することができ、中古販売市場の参入を防止することができ、正当な利益を得ることができる。
【００３２】
また、本発明に係る電子書籍表示装置の他の特徴は、防水性の樹脂材料により少なくとも前面が透明に形成され、ヒンジ部を介して開閉自在に連結された２つのケーシングを有し、少なくとも一方のケーシングには、端子取出し口が形成され、この端子取出し口に周縁部が弾性樹脂材料により形成され前記端子取出し口に水密に係合するように形成された蓋部材が開閉自在に配設され、各ケーシング内に、前記各ケーシングの前面より視認可能にそれぞれ配設された有機ＥＬ表示素子が配設されるとともに、前記２つの有機ＥＬ表示素子の外側に位置して配設され前記各有機ＥＬ表示素子にそれぞれ表示される情報の操作を行う複数の静電容量式のスイッチと、少なくとも一方のケーシング内に前記各有機ＥＬ表示素子の制御を行う制御部と、前記制御部に配設されているメモリと、前記メモリに情報を入力するためのインタフェースと、バッテリーとを備えるとともに、前記一方のケーシングの端子取出し口に、前記メモリに情報を入力するとともに、前記バッテリーの充電を行うための外部入力ケーブルが接続される入力専用の入力端子が配設され、前記各有機ＥＬ表示素子が前記ヒンジ部内に挿通されたフレキシブル回路基板により連結されている点にある。
【００３３】
このような構成を採用したことにより、装置内に水気が浸入することを防止することができ、浴室内などの多湿空間においてもメモリに入力された書籍データを表示して閲覧することができるとともに、有機ＥＬ表示装置を採用することにより広い視野角を確保することができ、様々な姿勢においても閲覧が可能となる。また、ヒンジ部を介して開閉自在の構造としたことにより、あたかも実際に書籍を手にしているかのような感覚を得ることができる。さらに、スイッチを静電容量式にすることにより、スイッチをケーシング内に配設しても操作が可能となるため、防水構造であって好適な操作性を得ることができる。さらにまた、出力手段を備えないため、書籍データの転用、転売を防止することができ、中古販売市場の参入を防止することができ、正当な利益を得ることができる。
【００３４】
また、本発明に係る電子書籍表示装置の他の特徴は、前記制御部に接続された無線通信部と、この無線通信部に接続されたアンテナとを内蔵した点にある。
【００３５】
このような構成を採用したことにより、電子書籍表示装置に移動体通信機を接続しこの移動体通信機により電話回線を通じて集中管理サーバにアクセスしたり、電子書籍配信端末に接続するすることなく、電子書籍表示装置により集中管理サーバへ直接アクセスして書籍データの購入、ダウンロードを行うことが可能となる。
【発明の効果】
【００３６】
本発明の電子書籍配信システムおよび電子書籍表示装置によれば、書籍を各ページ毎にデジタルデータ化したのち各ページデータに左右の割り当てを設定して圧縮した書籍データの売買を、集中管理サーバおよび電子書籍表示装置間、または、電子書籍配信端末および電子書籍表示装置間において行ない、圧縮された書籍データを解凍可能な電子書籍表示装置のメモリに直接入力し、電子書籍表示装置が出力手段を備えていないため、書籍データの転用、転売を防止することができる。この結果、中古販売市場の参入を防止することができ、正当な利益を得ることができる。また、書籍データの圧縮形式を、専用の電子書籍表示装置によってのみ解凍可能な形式にすることにより、他の表示装置による閲覧を規制することができるとともに、転売および二次複製を防止することができる。
【００３７】
さらに、電子書籍表示装置に有機ＥＬ表示装置を採用するとともに、防水構造にすることにより、小型で携帯に適するとともに広い視野角を確保することができ、様々な環境下で様々な姿勢においても閲覧が可能となる。
【発明を実施するための最良の形態】
【００３８】
以下、本発明に係る電子書籍配信システムおよび電子書籍表示装置を図面に示す実施形態により説明する。
【００３９】
図１は本発明の電子書籍配信システムの第１実施形態を示す概略図、図２は本発明の電子書籍表示装置の第１実施形態を示す正面図、図３は図２の側面図、図４は本第１実施形態の電子書籍表示装置の構成を示すブロック図である。
【００４０】
本第１実施形態の電子書籍配信システム１は、図１に示すように、書籍データを集約した集中管理サーバ２と、この集中管理サーバ２にアクセスするための携帯電話やＰＨＳといった移動体通信機３がケーブル４により接続可能とされ、前記書籍データを購入、受信する電子書籍表示装置５とから構成されている。なお、前記電子書籍表示装置５は、本発明の電子書籍表示装置の第１実施形態とする。
【００４１】
前記集中管理サーバ２は、文庫本や漫画本といった書籍のオリジナルデータを各ページ毎にＪＰＥＧ（Joint Photographic Experts Group）等の画像データに変換するか、あるいは、発行された書籍をスキャナにより取り込み各ページ毎にデジタルデータ化したのち各ページデータに左右の割り当てを設定し、各書籍単位で圧縮した書籍データを集約する。好ましくは、文庫本や漫画本といった書籍のオリジナルデータを見開き１ページを１つのページデータとしてＪＰＥＧ等の画像データに変換するか、あるいは、発行された書籍をスキャナにより取り込み見開き１ページ毎にデジタルデータ化したのち、各書籍単位で圧縮した書籍データを集約する。
【００４２】
そして、各書籍データと各書籍データに対応する書籍の書誌情報、例えば、タイトル、著者名、カテゴリ、価格、総ページ数、ファイル容量、内容の簡単な解説等を結びつけてテーブルを形成して記憶し、各書籍データを各情報を基に種別管理を行うようになっている。なお、前記書籍データの圧縮形式としては、前記電子書籍表示装置５の後述する制御部９のＲＯＭに記憶された解凍プログラムにのみ互換性を有する形式とし、この解凍プログラムが記憶されていない他の表示装置においてはダウンロードおよび解凍することができないようになっている。
【００４３】
前記電子書籍表示装置５は、図２乃至図４に示すように、ＰＥＴ（ポリエチレンテレフタレート）等の防水性を有する樹脂材料から形成されたケーシング６を有しており、このケーシング６の少なくとも前面６ａは後述する有機ＥＬ表示素子８が視認可能となるように透明に形成されているとともに、後述する静電容量式のスイッチ１２Ｐ，１２Ｅ，１２Ｒ，１２Ｌが操作可能な程度に薄く形成されている。また、前記ケーシング６の一方の側面６ｂには、後述する接続端子１４が配設される端子接続口６ｃが形成されているとともに、この端子接続口６ｃを開閉自在とし、周縁部が弾性樹脂材料７ａにより形成され前記ケーシング６に密に係合する蓋部材７が配設されている。この蓋部材７が前記端子接続口６ｃを閉じている状態においては、水密状態が保持されるようになっている。
【００４４】
前記ケーシング６内には、前記前面６ａから視認可能に配設され書籍データを表示する有機ＥＬ表示素子８が配設されている。また、前記ケーシング６内には、ＣＰＵとＲＯＭとからなり前記電子書籍表示装置５の制御を行う制御部９と、この制御部９に配設され書籍データを記憶するメモリ（ＲＡＭ）１０と、このメモリ１０に書籍データを入力するインターフェース１１が配設されている。なお、前記制御部９のＲＯＭには前記集中管理サーバ２に集約された各書籍データを解凍可能な解凍プログラムが記憶されており、前記制御部９は各書籍データが前記メモリ１０にダウンロードされるとこの解凍プログラムにより各書籍データの圧縮ファイルの自動解凍を行なうとともに、解凍された書籍データの各ページ毎に割り当てられた左右の表示設定の識別を行ない表示可能な形式へと変換するようになっている。
【００４５】
さらに、前記有機ＥＬ表示素子８の表面の両側方には、前記有機ＥＬ表示素子８に表示される書籍データの操作を行う複数（本実施形態においては４つ）の静電容量式のスイッチ１２Ｐ，１２Ｅ，１２Ｒ，１２Ｌが配設されている。また、前記ケーシング６内には、バッテリー１３が配設されている。そして、前記端子接続口６ｃには、前記集中管理サーバ２とネットワーク接続するための移動体通信機３を接続するケーブル４が接続されるとともに、前記バッテリー１３の充電を行うため充電器（図示せず）が接続される例えばＵＳＢ接続端子などの接続端子１４が配設されている。なお、本第１実施形態の有機ＥＬ表示素子８の大きさは、文庫本あるいは漫画本の見開き１ページ分の大きさとされている。
【００４６】
ここで、本実施形態における前記各スイッチ１２Ｐ，１２Ｒ，１２Ｌ，１２Ｅによる前記電子書籍表示装置５の操作方法の一例を説明する。
【００４７】
まず、前記スイッチ１２Ｐは、前記電子書籍表示装置５の電源のＯＮ／ＯＦＦの制御を行うものであり、前記電子書籍表示装置５の電源がＯＦＦ状態のとき、前記スイッチ１２Ｐを長押しすることにより前記電子書籍表示装置５の電源がＯＮ状態となる。逆に、前記電子書籍表示装置５の電源がＯＮ状態のとき、前記スイッチ１２Ｐを長押しすることにより前記電子書籍表示装置５の電源がＯＦＦ状態となる。
【００４８】
つぎに、前記スイッチ１２Ｌは、前記有機ＥＬ表示素子８に表示された複数の項目から任意の項目を選択する際にアイコンを移動させる機能と、前記有機ＥＬ表示素子８に書籍データが表示されている際にページの送りあるいは戻しを行う機能とを有しており、本実施形態においては、前記有機ＥＬ表示素子８に選択項目が表示されている場合にはアイコンを上方へ移動させ、書籍データが表示されている場合には、短押しすることにより書籍データのページを１ページずつ左送りし、長押しすることにより書籍をパラパラめくるように早送りされるようになっている。
【００４９】
前記スイッチ１２Ｒは、前記スイッチ１２Ｌと対称動作を行うものであり、前記有機ＥＬ表示素子８に選択項目が表示されている場合にはアイコンを下方へ移動させ、書籍データが表示されている場合には、短押しすることにより書籍データのページを１ページずつ右送りし、長押しすることにより書籍をパラパラめくるように早送りされるようになっている。
【００５０】
つぎに、前記スイッチ１２Ｅは、前記電子書籍表示装置５の有機ＥＬ表示素子８に表示された項目を実行させる決定機能と、閲覧途中の書籍データのページを記憶させるブックマーク機能とを有しており、前記有機ＥＬ表示素子８に選択項目が表示されている際に、前記スイッチ１２Ｒおよび前記スイッチ１２Ｌを操作して項目を選択した後、前記スイッチ１２Ｅを短押しすることにより選択した項目が実行されるようになっている。また、前記有機ＥＬ表示素子８において書籍データの閲覧を中止する際に、前記スイッチ１２Ｅを短押しすることにより最後に閲覧していたページが記憶され、閲覧を再開する際にそのページから表示させることができるようになっている。
【００５１】
そして、本第１実施形態の電子書籍表示装置５は、唯一の開口部分として接続端子１４が配設された端子接続口６ｃが設けられているが、この端子接続口６ｃに開閉自在に配設された蓋部材７が周縁部を弾性樹脂材料７ａにより形成されケーシング６に密に係合するようになっているため、蓋部材７により端子接続口６ｃを閉じた状態において、この端子接続口６ｃに水が浸入することを防止することができる。したがって、電子書籍表示装置５は全体として高い防水性を有しており、例えば、電子書籍表示装置５を浴室で使用したとしても接続端子１４をはじめ各部位に水が浸入することを防止することができる。また、有機ＥＬ表示素子８は文庫本あるいは漫画本の見開き１ページ分の大きさとされているため、ノートパソコンよりも小さく携帯に便利で、かつＰＤＡよりも若干大きいため、表示された文字および画像の閲覧をしやすいという利点がある。さらに、表示装置として有機ＥＬ表示素子８を採用することにより、広い視野角を確保することができ、様々な態勢においても書籍データの閲覧が可能である。
【００５２】
つぎに、前述した構成からなる本第１実施形態の電子書籍配信システム１ならびに電子書籍表示装置５の作用について説明する。
【００５３】
図５は本実施形態の電子書籍配信システムの書籍データのダウンロードの工程を示すフロートチャート、図６は本実施形態の電子書籍表示装置の書籍データの表示の工程を示すフロートチャート、図７乃至図２０は本第１実施形態の電子書籍表示装置の表示例を示す概略図である。
【００５４】
まず、移動体通信機３が接続されたケーブル４を電子書籍表示装置５の接続端子１４に接続する。そして、移動体通信機３により電子書籍表示装置５を集中管理サーバ２にネットワーク接続する。すると、集中管理サーバ２から電子書籍表示装置５に、集中管理サーバ２に記憶された各書籍データのカテゴリがグループとして配信され、図７に示すように、電子書籍表示装置５の有機ＥＬ表示素子８に各カテゴリの一覧が表示される。
【００５５】
そして、電子書籍表示装置５において、スイッチ１２Ｌおよびスイッチ１２Ｒを順次操作して購入を希望する書籍データのカテゴリを選択し、スイッチ１２Ｅを操作して購入を希望するカテゴリを決定する。すると、集中管理サーバ２から電子書籍表示装置５に、集中管理サーバ２に記憶された各書籍データの中から選択されたカテゴリ内の詳細なカテゴリの一覧が配信され、図８に示すように、電子書籍表示装置５の有機ＥＬ表示素子８に選択したカテゴリ内の詳細なカテゴリの一覧が表示される。なお、このとき、「１つ前の画面に戻る」、「著者、出版社から検索」および「タイトルから検索」といった選択項目が同時に表示され、「１つ前の画面に戻る」を選択して実行すると、図７に示す各カテゴリの一覧が表示された画面に戻るようになっている。
【００５６】
そして、電子書籍表示装置５において、スイッチ１２Ｌおよびスイッチ１２Ｒを順次操作して購入を希望する書籍データの詳細なカテゴリを選択し、スイッチ１２Ｅを操作して購入を希望する詳細なカテゴリを決定する。すると、集中管理サーバ２から電子書籍表示装置５に、集中管理サーバ２に記憶された各書籍データの中から選択された詳細なカテゴリの書籍データのタイトルの一覧が配信され、図９に示すように、電子書籍表示装置５の有機ＥＬ表示素子８に選択した詳細なカテゴリの書籍データのタイトルの一覧が表示される。
【００５７】
そして、再び、電子書籍表示装置５において、スイッチ１２Ｌおよびスイッチ１２Ｒを順次操作して購入を希望する書籍データのタイトルを選択し、スイッチ１２Ｅを操作して購入を希望する書籍データのタイトルを決定する。すると、集中管理サーバ２から電子書籍表示装置５に、集中管理サーバ２に記憶された各書籍データの中から選択されたタイトルの書籍データに対応する書籍のタイトル、著者名、カテゴリ、価格、総ページ数、ファイル容量、内容の簡単な解説といった書誌情報が配信され、図１０に示すように、電子書籍表示装置５の有機ＥＬ表示素子８に選択したタイトルの書誌情報が表示されるとともに、この書籍データを「購入する」、「購入しない」といった選択項目が表示される。
【００５８】
また、図８に示す画面において、スイッチ１２Ｌ、スイッチ１２Ｒおよびスイッチ１２Ｅを順次操作して「著者、出版社から検索」を実行した場合、図１１に示すように、著者および出版社の索引と「１つ前の画面に戻る」といった選択項目が表示される。そして、この索引から購入を希望する書籍データの索引を選択して実行すると、図１２に示すように、電子書籍表示装置５の有機ＥＬ表示素子８に選択した書籍の著者および出版社の一覧、そして、「１つ前の画面に戻る」といった選択項目が表示される。そしてさらに、この詳細な著者および出版社の一覧から購入を希望する書籍データの著者あるいは出版社を選択すると、図１３に示すように、選択した著者あるいは出版社のタイトルの一覧が表示される。そして、スイッチ１２Ｌおよびスイッチ１２Ｒを順次操作して購入を希望する書籍データのタイトルを選択し、スイッチ１２Ｅを操作して購入を希望する書籍データのタイトルを決定すると、図１０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目が電子書籍表示装置５の有機ＥＬ表示素子８に表示される。
【００５９】
また、図８に示す画面において、スイッチ１２Ｌ、スイッチ１２Ｒおよびスイッチ１２Ｅを順次操作して「タイトルから検索」を実行した場合、図１４に示すように、タイトルの索引と「１つ前の画面に戻る」といった選択項目が表示される。そして、この索引から購入を希望する書籍データの索引を選択して実行すると、図１５に示すように、電子書籍表示装置５の有機ＥＬ表示素子８に選択した索引の詳細なタイトルの一覧、そして、「１つ前の画面に戻る」といった選択項目が表示される。そして、スイッチ１２Ｌおよびスイッチ１２Ｒを順次操作して購入を希望する書籍データのタイトルを選択し、スイッチ１２Ｅを操作して購入を希望する書籍データのタイトルを決定すると、図１０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目が電子書籍表示装置５の有機ＥＬ表示素子８に表示される。
【００６０】
そして、電子書籍表示装置５の有機ＥＬ表示素子８に表示された書籍データの書誌情報を参照した後、この書籍データの購入を希望する場合には、スイッチ１２Ｌおよびスイッチ１２Ｒを操作して有機ＥＬ表示素子８上の「購入する」を選択し、スイッチ１２Ｅを操作することにより「購入する」が実行され、集中管理サーバ２から電子書籍表示装置５へ書籍データおよび書籍データの情報のダウンロードが実行される。このとき、「購入しない」を選択して実行した場合、図９に示す選択したカテゴリの書籍データのタイトルの一覧が表示された画面に戻るようになっている。
【００６１】
ここで、書籍データの購入における料金の請求方法としては、各携帯電話会社あるいはＰＨＳ会社と提携して通話料に加算する方法、あるいは、電子書籍表示装置５にクレジットカード情報を入力して集中管理サーバ２へ送信して、クレジットカード決済を行う方法など様々な方法を用いることができる。
【００６２】
そして、集中管理サーバ２から電子書籍表示装置５へ書籍データおよび書誌情報のダウンロードが終了すると、図１６に示すように、電子書籍表示装置５の有機ＥＬ表示素子８に選択した書籍データのダウンロードが終了したことが表示されるとともに、他の書籍データの購入を「続行する」、「終了する」といった選択項目が表示される。そこで、スイッチ１２Ｌ、スイッチ１２Ｒおよびスイッチ１２Ｅを順次操作して「続行する」を実行すると、有機ＥＬ表示素子８には、図７に示した最初の画面である各カテゴリの一覧が表示される。また、先の有機ＥＬ表示素子８に書籍データの購入を「続行する」、「終了する」といった選択項目が表示されている際に、スイッチ１２Ｌ、スイッチ１２Ｒおよびスイッチ１２Ｅを順次操作して「終了する」を実行すると、移動体通信機３による電子書籍表示装置５と集中管理サーバ２とのネットワーク接続が切断され、取引が終了される。
【００６３】
そして、前述した工程により電子書籍表示装置５へ入力された書籍データおよび書籍データの情報を閲覧するには、まず、スイッチ１２Ｐを長押しして電子書籍表示装置５の電源をＯＮ状態にする。すると、図１７に示すように、有機ＥＬ表示素子８に電子書籍表示装置５のメモリ１０に記憶されている書籍データのカテゴリの一覧が表示される。
【００６４】
そして、書籍データのカテゴリの一覧からスイッチ１２Ｌおよびスイッチ１２Ｒを操作して閲覧を希望する書籍データのカテゴリを選択し、スイッチ１２Ｅを操作して実行すると、図１８に示すように、有機ＥＬ表示素子８に電子書籍表示装置５のメモリ１０に記憶されている選択したカテゴリの書籍データのタイトルの一覧が表示される
そして、書籍データのタイトルの一覧からスイッチ１２Ｌおよびスイッチ１２Ｒを操作して閲覧を希望する書籍データのタイトルを選択し、スイッチ１２Ｅを操作して実行すると、図１９に示すように、書籍データのタイトル、著者名、総ページ数、ブックマークページ数、内容の簡単な解説といった書誌情報とが有機ＥＬ表示素子８に表示されるとともに、「続きから」、「最初から」、「１つ前の画面に戻る」、「削除する」といった選択項目が表示される。このとき、選択した書籍データが閲覧途中でそのページがブックマークされている場合には、「続きから」を実行することによりブックマークされているページから閲覧を開始することができる。また、選択した書籍データが既に閲覧済みであったり不要な場合には、「削除する」を選択して実行することによりこの書籍データをメモリ１０から削除することができる。
【００６５】
そして、有機ＥＬ表示素子８に表示された書籍データの書誌情報を確認して最初から閲覧を実行するには、スイッチ１２Ｌおよびスイッチ１２Ｒを操作して「最初から」を選択し、スイッチ１２Ｅを操作することにより「最初から」が実行され、図２０に示すように、有機ＥＬ表示素子８に書籍データの最初のページが表示される。そして、スイッチ１２Ｌおよびスイッチ１２Ｒを操作することにより書籍データのページの送り戻しが行われ、スイッチ１２Ｅを操作することにより表示されているページをブックマークすることができる。そして、書籍データの閲覧を終了する場合には、スイッチ１２Ｐを長押しすることにより電子書籍表示装置５の電源がＯＦＦ状態となり終了される。
【００６６】
以上説明した構成からなる本第１実施形態の電子書籍配信システム１によれば、電子書籍表示装置５を所有する利用者が、ケーブル４により接続された移動体通信機３により直接集中管理サーバ２にアクセスして書籍データを購入し、電子書籍表示装置５に直接書籍データをダウンロードし、さらに、電子書籍表示装置５に出力手段を設けていないため、書籍データの転用および転売を防止することができる。このため、書籍データの中古販売市場の参入を防止することができ、販売元からは正当な数量の販売が行われ、正当な利益を得ることができる。
【００６７】
また、各書籍データを電子書籍表示装置５の制御部９のＲＯＭに記憶された解凍プログラムにのみ互換性を有する形式に圧縮したファイルとすることにより、この解凍プログラムが記憶されていない他の表示装置へのダウンロードおよび解凍を規制することができ、転売や二次複製を防止することができる。
【００６８】
さらに、集中管理サーバ２を増設していくことにより、ほぼ無限に書籍データおよび書籍データの情報を管理することができ、店舗を持たずとも大型書店と同等の商品提供が可能となる。
【００６９】
つぎに、本発明の電子書籍配信システムの第２実施形態について説明する。なお、本第２実施形態における集中管理サーバは本第１実施形態の集中管理サーバ２と同様の構成であるので、同様の符号をもって説明するとともに、その詳細な説明は省略する。
【００７０】
図２１は本発明の電子書籍配信システムの第２実施形態を示す概略図、図２２は本実施形態の電子書籍配信端末の構成を示すブロック図、図２３は本発明の電子書籍表示装置の第２実施形態を示す正面図、図２４は図２３の側面図、図２５は図２３の電子書籍表示装置のヒンジ部内の構成を示す概略図、図２６は本第２実施形態の電子書籍表示装置の構成を示すブロック図である。
【００７１】
本第２実施形態の電子書籍配信システム２１は、図２１に示すように、書籍データを集約した集中管理サーバ２と、この集中管理サーバ２とネットワーク接続された電子書籍配信端末２２と、この電子書籍配信端末２２に配設された接続ケーブル２６により接続され、前記電子書籍配信端末２２を介して前記集中管理サーバ２にアクセスし、前記書籍データを購入、受信する電子書籍表示装置２７とから構成されている。なお、前記電子書籍表示装置２７は、本発明の電子書籍表示装置の第２実施形態とする。
【００７２】
前記電子書籍配信端末２２は、例えばコンビニエンスストアや公共施設等に設置されている一般的にキオスク情報端末と呼ばれる音楽や映像、あるいはゲームコンテツを販売する店頭販売端末であり、図２１および図２２に示すように、光回線などのネットワーク回線２３により前記集中管理サーバ２とネットワーク接続されている。この電子書籍配信端末２２は、タッチパネル式表示装置２４と、このタッチパネル式表示装置２４の制御を行う制御部２５と、前記電子書籍表示装置２７の接続端子３８に接続し、前記電子書籍表示装置２７と前記集中管理サーバ２とをネットワーク接続するための接続ケーブル２６とを有している。
【００７３】
前記電子書籍表示装置２７は、図２４乃至図２６に示すように、それぞれＰＥＴ等の防水性を有する樹脂材料から形成された２つのケーシング２８，２９を有しており、各ケーシング２８，２９の少なくとも前面２８ａ，２９ａは、それぞれ後述する有機ＥＬ表示素子３１ａ，３１ｂが視認可能となるように透明に形成されているとともに、後述する静電容量式のスイッチ３６Ｐ，３６Ｅ，３６Ｒ，３６Ｌが操作可能な程度に薄く形成されている。
【００７４】
前記各ケーシング２８，２９にはそれぞれ密に嵌合するヒンジ部２８ｂ，２９ｂが形成されており、これらのヒンジ部２８ｂ，２９ｂにより各ケーシング２８，２９の各前面２８ａ，２９ａが内側に折りたためるように連結されている。さらに、前記各ヒンジ部２８ｂ，２９ｂは内部が空洞に形成されており、この空洞の内部には後述する制御部３２ａと制御部３２ｂを接続するフレキシブル回路基板３４が挿通されている。
【００７５】
また、前記各ケーシング２８，２９のうち一方のケーシング（本実施形態においてはケーシング２８）の、前記ヒンジ部２８ｂと対向する側面２８ｃには、後述する接続端子３８が配設される端子接続口２８ｄが形成されているとともに、この端子接続口２８ｄを開閉自在とし、周縁部が弾性樹脂材料３０ａにより形成され前記ケーシング２８に密に係合する蓋部材３０が配設されている。この蓋部材３０が前記端子接続口２８ｄを閉じている状態においては、水密状態が保持されるようになっている。
【００７６】
前記各ケーシング２８，２９内には、それぞれ前記各前面２８ａ，２９ａから視認可能に配設され書籍データを表示する有機ＥＬ表示素子３１ａ，３１ｂが配設されている。また、前記各ケーシング２８，２９内には、それぞれＣＰＵとＲＯＭとからなり前記電子書籍表示装置２７の制御を行う制御部３２ａ，３２ｂとが配設されている。また、前記各制御部３２ａ，３２ｂのうち少なくとも一方の制御部（本実施形態においては制御部３２ａ）には、書籍データを記憶するメモリ（ＲＡＭ）３３と、このメモリ３３に書籍データを入力するインターフェース３５とが配設されている。なお、前記各制御部３２ａ，３２ｂのうち少なくとも一方の制御部（本実施形態においては制御部３２ａ）のＲＯＭには前記集中管理サーバ２に集約された各書籍データを解凍可能な解凍プログラムが記憶されており、前記制御部３２ａは各書籍データが前記メモリ３３にダウンロードされるとこの解凍プログラムにより各書籍データの圧縮ファイルの自動解凍を行なうとともに、解凍された書籍データの各ページ毎に割り当てられた左右の表示設定の識別を行ない表示可能な形式へと変換するようになっている。そして、前記各制御部３２ａ，３２ｂはフレキシブル回路基板３４により接続されており、前記メモリ３３に入力された書籍データ等の情報を前記各有機ＥＬ表示素子３１ａ，３１ｂにそれぞれ分割して表示するようになっている。
【００７７】
さらに、前記ケーシング２８，２９内には、前記各有機ＥＬ表示素子３１ａ，３１ｂの表面の前記各ヒンジ部２８ｂ，２９ｂと対向する側には、前記各有機ＥＬ表示素子３１ａ，３１ｂに表示される書籍データの操作を行う複数（本実施形態においては４つ）の静電容量式のスイッチ３６Ｐ，３６Ｒ，３６Ｌ，３６Ｅが配設されている。なお、本第２実施形態の各スイッチ３６Ｐ，３６Ｒ，３６Ｌ，３６Ｅの操作方法としては、本第１実施形態の各スイッチ１２Ｐ，１２Ｒ，１２Ｌ，１２Ｅと同様であるので、詳細な説明は省略する。
【００７８】
さらに、前記ケーシング２８，２９のうち少なくとも一方のケーシング（本実施形態においてはケーシング２８）内には、バッテリー３７が配設されている。そして、前記端子接続口２８ｄには、前記電子書籍配信端末２７の接続ケーブル２６が接続されるとともに、前記バッテリー３７の充電を行うための充電器（図示せず）が接続される例えばＵＳＢ接続端子などの接続端子３８が配設されている。なお、本第２実施形態の有機ＥＬ表示素子３１ａ，３１ｂの大きさは、それぞれ文庫本あるいは漫画本の１ページ分の大きさであり、前記電子書籍表示装置２７を開いた際の各有機ＥＬ表示素子３１ａ，３１ｂが、文庫本あるいは漫画本の見開き１ページ分に相当する大きさとされている。
【００７９】
そして、本第２実施形態の電子書籍表示装置２７は、本第１実施形態の電子書籍表示装置５と同様に、唯一の開口部分としてケーシング２８に接続端子３８が配設された端子接続口２８ｄが設けられているが、この端子接続口２８ｄにも開閉自在に配設された蓋部材３０が周縁部を弾性樹脂材料３０ａにより形成されケーシング２８に密に係合するようになっているため、蓋部材３０により端子接続口２８ｄを閉じた状態において、この端子接続口２８ｄに水が浸入することを防止することができる。さらに、各ヒンジ部２８ｂ，２９ｂを密に嵌合させ、これらヒンジ部２８ｂ，２９ｂ内にフレキシブル回路基板３４を挿通することにより、各ヒンジ部２８ｂ，２９ｂから水が浸入することを防止することができる。したがって、電子書籍表示装置２７は全体として高い防水性を有しており、例えば、電子書籍表示装置２７を浴室で使用したとしても接続端子３８をはじめ各部位に水が浸入することを防止することができる。また、各有機ＥＬ表示素子３１ａ，３１ｂは文庫本あるいは漫画本の１ページ分の大きさとされ、電子書籍表示装置２７を開いた状態が文庫本あるいは漫画本の見開き１ページ分とほぼ同等の大きさとされているため、ノートパソコンよりも小さく携帯に便利で、かつＰＤＡよりも若干大きいため、表示された文字および画像の閲覧をしやすいという利点がある。さらに、表示装置として有機ＥＬ表示素子３１ａ，３１ｂを採用することにより、広い視野角を確保することができ、様々な態勢においても書籍データの閲覧が可能である。
【００８０】
つぎに、前述した構成からなる本第２実施形態の電子書籍配信システム２１ならびに電子書籍表示装置２７の作用について説明する。
【００８１】
図５は本実施形態の電子書籍配信システムの書籍データのダウンロードの工程を示すフロートチャート、図６は本実施形態の電子書籍表示装置の書籍データの表示の工程を示すフロートチャート、図２７乃至図３６は本実施形態の電子書籍配信端末の表示例を示す概略図、図３７乃至図４０は本第２実施形態の電子書籍表示装置の表示例を示す概略図である。
【００８２】
まず、電子書籍表示装置２７の接続端子３８に電子書籍配信端末２２に配設された接続ケーブル２６を接続する。そして、電子書籍配信端末２２を介して電子書籍表示装置２７を集中管理サーバ２にネットワーク接続する。すると、集中管理サーバ２から電子書籍配信端末２２に、集中管理サーバ２に記憶された各書籍データのカテゴリがグループとして配信され、図２７に示すように、電子書籍配信端末２２のタッチパネル式表示装置２４に各カテゴリの一覧が表示される。
【００８３】
そして、購入を希望する書籍データのカテゴリを選択し、タッチパネル式表示装置２４を操作して購入を希望するカテゴリを決定する。すると、集中管理サーバ２から電子書籍配信端末２２に、集中管理サーバ２に記憶された各書籍データの中から選択されたカテゴリ内の詳細なカテゴリの一覧が配信され、図２８に示すように、タッチパネル式表示装置２４に選択したカテゴリ内の詳細なカテゴリの一覧が表示される。なお、このとき、「１つ前の画面に戻る」、「著者、出版社から検索」および「タイトルから検索」といった選択項目が同時に表示され、「１つ前の画面に戻る」を選択して実行すると、図２７に示す各カテゴリの一覧が表示された画面に戻るようになっている。
【００８４】
そして、購入を希望する書籍データの詳細なカテゴリを選択し、タッチパネル式表示装置２４を操作して購入を希望する詳細なカテゴリを決定する。すると、集中管理サーバ２から電子書籍配信端末２２に、集中管理サーバ２に記憶された各書籍データの中から選択された詳細なカテゴリの書籍データのタイトルの一覧が配信され、図２９に示すように、タッチパネル式表示装置２４に選択した詳細なカテゴリの書籍データのタイトルの一覧が表示される。
【００８５】
そして、再び、購入を希望する書籍データのタイトルを選択し、タッチパネル式表示装置２４を操作して購入を希望する書籍データのタイトルを決定する。すると、集中管理サーバ２から電子書籍配信端末２２に、集中管理サーバ２に記憶された各書籍データの中から選択されたタイトルの書籍データに対応する書誌のタイトル、著者名、カテゴリ、価格、総ページ数、ファイル容量、内容の簡単な解説といった書誌情報が配信され、図３０に示すように、タッチパネル式表示装置２４に選択したタイトルの詳細情報が表示されるとともに、この書籍データを「購入する」、「購入しない」といった選択項目が表示される。
【００８６】
また、図２８に示す画面において、タッチパネル式表示装置２４を操作して「著者、出版社から検索」を実行した場合、図３１に示すように、著者および出版社の索引と「１つ前の画面に戻る」といった選択項目が表示される。そして、この索引から購入を希望する書籍データの索引を選択して実行すると、図３２に示すように、タッチパネル式表示装置２４に選択した書籍の著者および出版社の一覧、そして、「１つ前の画面に戻る」といった選択項目が表示される。そしてさらに、この詳細な著者および出版社の一覧から購入を希望する書籍データの著者あるいは出版社を選択すると、図３３に示すように、選択した著者あるいは出版社のタイトルの一覧が表示される。そして、タッチパネル式表示装置２４を操作して購入を希望する書籍データのタイトルを選択して決定すると、図３０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目がタッチパネル式表示装置２４に表示される。
【００８７】
また、図２８に示す画面において、タッチパネル式表示装置２４を操作して「タイトルから検索」を実行した場合、図３４に示すように、タイトルの索引と「１つ前の画面に戻る」といった選択項目が表示される。そして、この索引から購入を希望する書籍データの索引を選択して実行すると、図３５に示すように、タッチパネル式表示装置２４に選択した索引の詳細なタイトルの一覧、そして、「１つ前の画面に戻る」といった選択項目が表示される。そして、タッチパネル式表示装置２４を操作して購入を希望する書籍データのタイトルを選択して決定すると、図３０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目がタッチパネル式表示装置２４に表示される。
【００８８】
そして、電子書籍配信端末２２のタッチパネル式表示装置２４に表示された書籍データの詳細情報を参照した後、この書籍データの購入を希望する場合には、タッチパネル式表示装置２４上の「購入する」を選択し、タッチパネル式表示装置２４を操作することにより「購入する」が実行され、集中管理サーバ２から電子書籍配信端末２２を介して電子書籍表示装置２７へ書籍データおよび書籍データの情報のダウンロードが実行される。このとき、「購入しない」を選択して実行した場合、図２９に示す選択したカテゴリの書籍データのタイトルの一覧が表示された画面に戻るようになっている。
【００８９】
ここで、書籍データの購入における料金の請求方法としては、電子書籍配信端末２２に料金レシート出力手段（図示せず）を設け、電子書籍配信端末２２が設置されている店舗の会計所において精算する方法、あるいは電子書籍表示装置２７にクレジットカード情報を入力して集中管理サーバ２へ送信して、クレジットカード決済を行う方法など様々な方法を用いることができる。
【００９０】
そして、電子書籍配信端末２２を介して集中管理サーバ２から電子書籍表示装置２７へ書籍データおよび書誌情報のダウンロードが終了すると、図３６に示すように、電子書籍配信端末２２のタッチパネル式表示装置２４に選択した書籍データのダウンロードが終了したことが表示されるとともに、他の書籍データの購入を「続行する」、「終了する」といった選択項目が表示される。そこで、タッチパネル式表示装置２４を操作して「続行する」を実行すると、タッチパネル式表示装置２４には、図２７に示した最初の画面である各カテゴリの一覧が表示される。また、先のタッチパネル式表示装置２４に書籍データの購入を「続行する」、「終了する」といった選択項目が表示されている際に、タッチパネル式表示装置２４を操作して「終了する」を実行すると、電子書籍配信端末２２を介した電子書籍表示装置２７と集中管理サーバ２とのネットワーク接続が切断され、取引が終了される。
【００９１】
そして、前述した工程により電子書籍表示装置２７へ入力された書籍データおよび書籍データの情報を閲覧するには、まず、スイッチ３６Ｐを長押しして電子書籍表示装置２７の電源をＯＮ状態にする。すると、図３７に示すように、各有機ＥＬ表示素子３１ａ，３１ｂに電子書籍表示装置２７のメモリ３３に記憶されている書籍データのカテゴリの一覧が表示される。
【００９２】
そして、書籍データのカテゴリの一覧からスイッチ３６Ｌおよびスイッチ３６Ｒを操作して閲覧を希望する書籍データのカテゴリを選択し、スイッチ３６Ｅを操作して実行すると、図３８に示すように、各有機ＥＬ表示素子３１ａ，３１ｂに電子書籍表示装置２７のメモリ３３に記憶されている選択したカテゴリの書籍データのタイトルの一覧が表示される。
【００９３】
そして、書籍データのタイトルの一覧からスイッチ３６Ｌおよびスイッチ３６Ｒを操作して閲覧を希望する書籍データのタイトルを選択し、スイッチ３６Ｅを操作して実行すると、図３９に示すように、書籍データのタイトル、著者名、総ページ数、ブックマークページ数、内容の簡単な解説といった書誌情報が各有機ＥＬ表示素子３１ａ，３１ｂに表示されるとともに、「続きから」、「最初から」、「１つ前の画面に戻る」、「削除する」といった選択項目が表示される。このとき、選択した書籍データが閲覧途中でそのページがブックマークされている場合には、「続きから」を実行することによりブックマークされているページから閲覧を開始することができる。また、選択した書籍データが既に閲覧済みであったり不要な場合には、「削除する」を選択して実行することによりこの書籍データをメモリ３３から削除することができる。
【００９４】
そして、各有機ＥＬ表示素子３１ａ，３１ｂに表示された書籍データの詳細情報を確認して最初から閲覧を実行するには、スイッチ３６Ｌおよびスイッチ３６Ｒを操作して「最初から」を選択し、スイッチ３６Ｅを操作することにより「最初から」が実行され、図４０に示すように、各有機ＥＬ表示素子３１ａ，３１ｂに書籍データの最初のページが表示される。そして、スイッチ３６Ｌおよびスイッチ３６Ｒを操作することにより書籍データのページの送り戻しが行われ、スイッチ３６Ｅを操作することにより表示されているページをブックマークすることが出来る。そして、書籍データの閲覧を終了する場合には、スイッチ３６Ｐを長押しすることにより電子書籍表示装置２７の電源がＯＦＦ状態となり終了される。
【００９５】
以上説明した構成からなる本第２実施形態の電子書籍配信システム２１によれば、電子書籍表示装置２７（あるいは電子書籍表示装置５）を所有する利用者が電子書籍配信端末２２が設置されている店舗へ行き、電子書籍表示装置２７の接続端子３８に電子書籍配信端末２２に配設された接続ケーブル２６を接続し、電子書籍配信端末２２を介して集中管理サーバ２にアクセスして書籍データを購入し、電子書籍表示装置２７に直接書籍データをダウンロードし、さらに、電子書籍表示装置２７に出力手段を設けていないため、書籍データの転用および転売を防止することができる。このため、書籍データの中古販売市場の参入を防止することができ、販売元からは正当な数量の販売が行われ、正当な利益を得ることができる。
【００９６】
また、各書籍データを電子書籍表示装置２７の制御部３２ａのＲＯＭに記憶された解凍プログラムにのみ互換性を有する形式に圧縮したファイルとすることにより、この解凍プログラムが記憶されていない他の表示装置へのダウンロードおよび解凍を規制することができ、転売や二次複製を防止することができる。
【００９７】
さらに、集中管理サーバ２を増設していくことにより、ほぼ無限に書籍データおよび書籍データの情報を管理することができ、店頭に設置された電子書籍配信端末２２において大型書店と同等の商品提供が可能となる。
【００９８】
つぎに、本発明の電子書籍配信システムの第３実施形態について説明する。なお、本第３実施形態における電子書籍表示装置は本第１実施形態の電子書籍表示装置５あるいは本第２実施形態の電子書籍表示装置２７のいずれを採用することができ、本実施形態においては本第１実施形態の電子書籍表示装置５を使用し、同様の符号をもって説明するとともに、その詳細な説明は省略する。また、電子書籍表示装置５により書籍データを閲覧する方法は本第１実施形態と同様であるので省略する。
【００９９】
図４１は本発明の電子書籍配信システムの第３実施形態を示す概略図、図４２は本実施形態の電子書籍配信端末の構成を示すブロック図である。
【０１００】
本第３実施形態の電子書籍配信システム４１は、図４１に示すように、書籍データを集約した電子書籍配信端末４２と、この電子書籍配信端末４２に配設された接続ケーブル４６により接続され、前記電子書籍配信端末４２から、前記書籍データを購入、受信する電子書籍表示装置５とから構成されている。
【０１０１】
前記電子書籍配信端末４２は、例えばコンビニエンスストアや公共施設等に設置されている一般的にキオスク情報端末と呼ばれる音楽や映像、あるいはゲームコンテツを販売する店頭販売端末であり、図４１および図４２に示すように、文庫本や漫画本といった書籍のオリジナルデータを各ページ毎にＪＰＥＧ等の画像データに変換するか、あるいは、発行された書籍をスキャナにより取り込み各ページ毎にデジタルデータ化したのち各ページデータに左右の割り当てを設定し、各書籍単位で圧縮した書籍データを集約する。好ましくは、文庫本や漫画本といった書籍のオリジナルデータを見開き１ページを１つのページデータとしてＪＰＥＧ等の画像データに変換するか、あるいは、発行された書籍をスキャナにより取り込み見開き１ページ毎にデジタルデータ化したのち、各書籍単位で圧縮した書籍データを集約する。
【０１０２】
そして、各書籍データと各書籍データに対応する書籍の書誌情報、例えば、タイトル、著者名、カテゴリ、価格、総ページ数、ファイル容量、内容の簡単な解説等を結びつけてテーブルを形成して記憶したハードディスク４３を有している。なお、前記書籍データの圧縮形式としては、前記電子書籍表示装置５の制御部９のＲＯＭに記憶された解凍プログラムにのみ互換性を有する形式とし、この解凍プログラムが記憶されていない他の表示装置においてはダウンロードおよび解凍することができないようになっている。
【０１０３】
また、前記電子書籍配信端末４２には、タッチパネル式表示装置４４と、このタッチパネル式表示装置４４の制御を行うとともに、前記タッチパネル式表示装置４４の操作により前記ハードディスク４３に記憶された各書籍データと各書籍データの情報を販売・配信する制御部４５と、前記電子書籍表示装置５の接続端子１４とネットワーク接続するための接続ケーブル４６とを有している。
【０１０４】
つぎに、前述した構成からなる本第３実施形態の電子書籍配信システム４１ならびに電子書籍表示装置５の作用について説明する。なお、電子書籍配信端末の表示については、本第２実施形態の図２７乃至図３６と同様であるので、同様の図をもって説明する。
【０１０５】
図５は本実施形態の電子書籍配信システムの書籍データのダウンロードの工程を示すフロートチャート、図６は本実施形態の電子書籍表示装置の書籍データの表示の工程を示すフロートチャートである。
【０１０６】
まず、電子書籍表示装置５の接続端子１４に電子書籍配信端末４２に配設された接続ケーブル４６を接続してネットワーク接続する。すると、電子書籍配信端末４２のハードディスク４３に記憶された各書籍データのカテゴリがグループとして読み込まれ、図２７に示すように、タッチパネル式表示装置４４に各カテゴリの一覧が表示される。
【０１０７】
そして、購入を希望する書籍データのカテゴリを選択し、タッチパネル式表示装置４４を操作して購入を希望するカテゴリを決定する。すると、電子書籍配信端末４２のハードディスク４３に記憶された各書籍データの中から選択されたカテゴリ内の詳細なカテゴリの一覧が読み込まれ、図２８に示すように、タッチパネル式表示装置４４に選択したカテゴリ内の詳細なカテゴリの一覧が表示される。なお、このとき、「１つ前の画面に戻る」、「著者、出版社から検索」および「タイトルから検索」といった選択項目が同時に表示され、「１つ前の画面に戻る」を選択して実行すると、図２７に示す各カテゴリの一覧が表示された画面に戻るようになっている。
【０１０８】
そして、購入を希望する書籍データの詳細なカテゴリを選択し、タッチパネル式表示装置４４を操作して購入を希望する著者名を決定する。すると、電子書籍配信端末４２のハードディスク４３に記憶された各書籍データの中から選択された詳細なカテゴリの書籍データのタイトルの一覧が読み込まれ、図２９に示すように、タッチパネル式表示装置４４に選択した詳細なカテゴリのタイトルの一覧が表示される。
【０１０９】
そして、再び、購入を希望する書籍データのタイトルを選択し、タッチパネル式表示装置４４を操作して購入を希望する書籍データのタイトルを決定する。すると、電子書籍配信端末４２のハードディスク４３に記憶された各書籍データの中から選択されたタイトルの書籍データに対応する書誌のタイトル、著者名、カテゴリ、価格、総ページ数、ファイル容量、内容の簡単な解説といった書誌情報が読み込まれ、図３０に示すように、タッチパネル式表示装置４４に選択したタイトルの詳細情報が表示されるとともに、この書籍データを「購入する」、「購入しない」といった選択項目が表示される。
【０１１０】
また、図２８に示す画面において、タッチパネル式表示装置４４を操作して「著者、出版社から検索」を実行した場合、図３１に示すように、著者および出版社の索引と「１つ前の画面に戻る」といった選択項目が表示される。そして、この索引から購入を希望する書籍データの索引を選択して実行すると、図３２に示すように、タッチパネル式表示装置４４に選択した書籍の著者および出版社の一覧、そして、「１つ前の画面に戻る」といった選択項目が表示される。そしてさらに、この詳細な著者および出版社の一覧から購入を希望する書籍データの著者あるいは出版社を選択すると、図３３に示すように、選択した著者あるいは出版社のタイトルの一覧が表示される。そして、タッチパネル式表示装置４４を操作して購入を希望する書籍データのタイトルを選択して決定すると、図３０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目がタッチパネル式表示装置４４に表示される。
【０１１１】
また、図２８に示す画面において、タッチパネル式表示装置４４を操作して「タイトルから検索」を実行した場合、図３４に示すように、タイトルの索引と「１つ前の画面に戻る」といった選択項目が表示される。そして、この索引から購入を希望する書籍データの索引を選択して実行すると、図３５に示すように、タッチパネル式表示装置４４に選択した索引の詳細なタイトルの一覧、そして、「１つ前の画面に戻る」といった選択項目が表示される。そして、タッチパネル式表示装置４４を操作して購入を希望する書籍データのタイトルを選択して決定すると、図３０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目がタッチパネル式表示装置４４に表示される。
【０１１２】
そして、電子書籍配信端末４２のタッチパネル式表示装置４４に表示された書籍データの詳細情報を参照した後、この書籍データの購入を希望する場合には、タッチパネル式表示装置４４上の「購入する」を選択し、タッチパネル式表示装置４４を操作することにより「購入する」が実行され、電子書籍配信端末４２のハードディスク４３から電子書籍表示装置２７へ書籍データおよび書籍データの情報のダウンロードが実行される。
【０１１３】
ここで、書籍データの購入における料金の請求方法としては、電子書籍配信端末４２に料金レシート出力手段（図示せず）を設け、電子書籍配信端末４２が設置されている店舗の会計所において精算する方法など様々な方法を用いることができる。
【０１１４】
そして、電子書籍配信端末４２から電子書籍表示装置５へ書籍データおよび書籍データの情報のダウンロードが終了すると、図３６に示すように、電子書籍配信端末４２のタッチパネル式表示装置４４に書籍データの購入を「続行する」、「終了する」といった選択項目が表示される。そこで、タッチパネル式表示装置４４を操作して「続行する」を実行すると、タッチパネル式表示装置４４には、図２７に示した最初の画面である各カテゴリの一覧が表示される。また、先のタッチパネル式表示装置４４に書籍データの購入を「続行する」、「終了する」といった選択項目が表示されている際に、タッチパネル式表示装置４４を操作して「終了する」を実行すると、電子書籍配信端末４２と電子書籍表示装置５とのネットワーク接続が切断され、取引が終了される。
【０１１５】
以上説明した構成からなる本第３実施形態の電子書籍配信システム４１によれば、電子書籍表示装置５（あるいは電子書籍表示装置２７）を所有する利用者が電子書籍配信端末４２が設置されている店舗へ行き、電子書籍表示装置５の接続端子１４に電子書籍配信端末４２に配設された接続ケーブル４６を接続し、電子書籍配信端末２２にネットワーク接続して書籍データを購入し、電子書籍表示装置５に直接書籍データをダウンロードし、さらに、電子書籍表示装置５に出力手段を設けていないため、書籍データの転用および転売を防止することができる。このため、書籍データの中古販売市場の参入を防止することができ、販売元からは正当な数量の販売が行われ、正当な利益を得ることができる。
【０１１６】
また、各書籍データを電子書籍表示装置５の制御部９のＲＯＭに記憶された解凍プログラムにのみ互換性を有する形式に圧縮したファイルとすることにより、この解凍プログラムが記憶されていない他の表示装置へのダウンロードおよび解凍を規制することができ、転売や二次複製を防止することができる。
【０１１７】
さらに、ハードディスク４３の書き換えあるいは交換によりに、１つの電子書籍配信端末４２において様々な書籍データおよび書籍データの提供が可能となる。
【０１１８】
つぎに、本発明の電子書籍表示装置の第３実施形態について説明する。なお、本第３実施形態の電子書籍表示装置において、本第１実施形態の電子書籍表示装置５と同様の構成である箇所については同様の符号をもって説明するとともに、その詳細な説明は省略する。図４３は本第３実施形態の電子書籍表示装置の構成を示すブロック図である。
【０１１９】
本第３実施形態の電子書籍表示装置４７は、図４３に示すように、ケーシング６内に、前面６ａから視認可能に配設され書籍データを表示する有機ＥＬ表示素子８が配設されている。また、前記ケーシング６内には、ＣＰＵとＲＯＭとからなり前記電子書籍表示装置５の制御を行う制御部９と、この制御部９に配設され書籍データを記憶するメモリ（ＲＡＭ）１０と、このメモリ１０に書籍データを入力するインターフェース１１が配設されている。なお、前記制御部９のＲＯＭには前記集中管理サーバ２に集約された各書籍データを解凍可能な解凍プログラムが記憶されており、前記制御部９は各書籍データが前記メモリ１０にダウンロードされるとこの解凍プログラムにより各書籍データの圧縮ファイルの自動解凍を行なうとともに、解凍された書籍データの各ページ毎に割り当てられた左右の表示設定の識別を行ない表示可能な形式へと変換するようになっている。
【０１２０】
また、本第３実施形態の電子書籍表示装置４７の制御部９には、前記集中管理サーバ２にネットワーク接続するためのプロトコル処理を行う無線通信部４８が配設されているとともに、この無線通信部４８に接続されたアンテナ４９が前記ケーシング６内に内蔵されている。
【０１２１】
さらに、前記有機ＥＬ表示素子８の表面の両側方には、前記有機ＥＬ表示素子８に表示される書籍データの操作を行う複数（本実施形態においては４つ）の静電容量式のスイッチ１２Ｐ，１２Ｅ，１２Ｒ，１２Ｌが配設されている。また、前記ケーシング６内には、バッテリー１３が配設されている。
【０１２２】
そしてさらに、前記ケーシング６の端子接続口６ｃには、前記バッテリー１３の充電を行うため充電器（図示せず）が接続される例えばＵＳＢ接続端子などの接続端子１４が配設されている。
【０１２３】
以上説明した構成からなる本第３実施形態の電子書籍表示装置４７によれば、接続端子１４にケーブル４を介して携帯電話やＰＨＳといった移動体通信機３を接続しこの移動体通信機３により電話回線を通じて集中管理サーバ２にアクセスしたり、電子書籍表示装置５を電子書籍配信端末２２に接続することなく、無線通信部４８およびアンテナ４９により直接集中管理サーバ２へアクセスすることが可能となり、直接書籍データの購入、ダウンロードを行うことが可能となる。なお、図４４に示すように、本第２実施形態の電子書籍表示装置２７に制御部３２ａに無線通信部４８を配設するとともに、この無線通信部４８に接続されたアンテナ４９をケーシング２８内に内蔵しても同様の効果を奏することができる。
【０１２４】
つぎに、前述した構成からなる本第３実施形態の電子書籍表示装置４７の作用について説明する。なお、本第３実施形態の電子書籍表示装置４７の表示例において、図７乃至図２０に示す電子書籍表示装置５の表示例は同様であるので、同様の図をもって説明する。
【０１２５】
図４５および図４６は本第３実施形態の電子書籍表示装置の表示例を示す概略図である。
【０１２６】
まず、電子書籍表示装置４７のスイッチ１２Ｐを長押しして電子書籍表示装置４７の電源をＯＮ状態にする。すると、図４５に示すように、有機ＥＬ表示素子８に「ネットワーク接続」および「Ｍｙカテゴリ一覧」といった選択項目が表示される。
【０１２７】
そして、スイッチ１２Ｌあるいはスイッチ１２Ｒを操作して「ネットワーク接続」を選択し、スイッチ１２Ｅを操作して実行すると、図４６に示すように、「接続する」および「接続しない」といった選択項目が表示される。そしてさらに、スイッチ１２Ｌ、スイッチ１２Ｒおよびスイッチ１２Ｅを順次操作して「接続する」を実行すると、電子書籍表示装置４７と集中管理サーバ２とがネットワーク接続され、集中管理サーバ２に記憶された各書籍データのカテゴリがグループとして配信され、図７に示すように、電子書籍表示装置４７の有機ＥＬ表示素子８に各カテゴリの一覧が表示される。なお、有機ＥＬ表示素子８に、図４５に示す画面が表示されている状態で、「Ｍｙカテゴリ一覧」を選択して実行すると、図１７に示すように、有機ＥＬ表示素子８に電子書籍表示装置４７のメモリ１０に記憶されている書籍データのカテゴリの一覧が表示され、図４６に示す画面が表示されている状態で、「接続しない」を選択して実行すると、図４５に示す画面に戻るようになっている。
【０１２８】
そして、電子書籍表示装置４７において、スイッチ１２Ｌおよびスイッチ１２Ｒを順次操作して購入を希望する書籍データのカテゴリを選択し、スイッチ１２Ｅを操作して購入を希望するカテゴリを決定する。すると、集中管理サーバ２から電子書籍表示装置４７に、集中管理サーバ２に記憶された各書籍データの中から選択されたカテゴリ内の詳細なカテゴリの一覧が配信され、図８に示すように、電子書籍表示装置４７の有機ＥＬ表示素子８に選択したカテゴリ内の詳細なカテゴリの一覧が表示される。なお、このとき、「１つ前の画面に戻る」、「著者、出版社から検索」および「タイトルから検索」といった選択項目が同時に表示され、「１つ前の画面に戻る」を選択して実行すると、図７に示す各カテゴリの一覧が表示された画面に戻るようになっている。
【０１２９】
そして、電子書籍表示装置４７において、スイッチ１２Ｌおよびスイッチ１２Ｒを順次操作して購入を希望する書籍データの詳細なカテゴリを選択し、スイッチ１２Ｅを操作して購入を希望する詳細なカテゴリを決定する。すると、集中管理サーバ２から電子書籍表示装置４７に、集中管理サーバ２に記憶された各書籍データの中から選択された詳細なカテゴリの書籍データのタイトルの一覧が配信され、図９に示すように、電子書籍表示装置４７の有機ＥＬ表示素子８に選択した詳細なカテゴリの書籍データのタイトルの一覧が表示される。
【０１３０】
そして、再び、電子書籍表示装置４７において、スイッチ１２Ｌおよびスイッチ１２Ｒを順次操作して購入を希望する書籍データのタイトルを選択し、スイッチ１２Ｅを操作して購入を希望する書籍データのタイトルを決定する。すると、集中管理サーバ２から電子書籍表示装置４７に、集中管理サーバ２に記憶された各書籍データの中から選択されたタイトルの書籍データに対応する書籍のタイトル、著者名、カテゴリ、価格、総ページ数、ファイル容量、内容の簡単な解説といった書誌情報が配信され、図１０に示すように、電子書籍表示装置４７の有機ＥＬ表示素子８に選択したタイトルの書誌情報が表示されるとともに、この書籍データを「購入する」、「購入しない」といった選択項目が表示される。
【０１３１】
また、図８に示す画面において、スイッチ１２Ｌ、スイッチ１２Ｒおよびスイッチ１２Ｅを順次操作して「著者、出版社から検索」を実行した場合、図１１に示すように、著者および出版社の索引と「１つ前の画面に戻る」といった選択項目が表示される。そして、この索引から購入を希望する書籍データの索引を選択して実行すると、図１２に示すように、電子書籍表示装置４７の有機ＥＬ表示素子８に選択した書籍の著者および出版社の一覧、そして、「１つ前の画面に戻る」といった選択項目が表示される。そしてさらに、この詳細な著者および出版社の一覧から購入を希望する書籍データの著者あるいは出版社を選択すると、図１３に示すように、選択した著者あるいは出版社のタイトルの一覧が表示される。そして、スイッチ１２Ｌおよびスイッチ１２Ｒを順次操作して購入を希望する書籍データのタイトルを選択し、スイッチ１２Ｅを操作して購入を希望する書籍データのタイトルを決定すると、図１０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目が電子書籍表示装置４７の有機ＥＬ表示素子８に表示される。
【０１３２】
また、図８に示す画面において、スイッチ１２Ｌ、スイッチ１２Ｒおよびスイッチ１２Ｅを順次操作して「タイトルから検索」を実行した場合、図１４に示すように、タイトルの索引と「１つ前の画面に戻る」といった選択項目が表示される。そして、この索引から購入を希望する書籍データの索引を選択して実行すると、図１５に示すように、電子書籍表示装置４７の有機ＥＬ表示素子８に選択した索引の詳細なタイトルの一覧、そして、「１つ前の画面に戻る」といった選択項目が表示される。そして、スイッチ１２Ｌおよびスイッチ１２Ｒを順次操作して購入を希望する書籍データのタイトルを選択し、スイッチ１２Ｅを操作して購入を希望する書籍データのタイトルを決定すると、図１０に示したような、選択したタイトルの書籍データのタイトル、著者名、カテゴリ、価格、総ページ数、ファイル容量、内容の簡単な解説といった書誌情報、ならびに、この書籍データを「購入する」、「購入しない」といった選択項目が電子書籍表示装置４７の有機ＥＬ表示素子８に表示される。
【０１３３】
そして、電子書籍表示装置４７の有機ＥＬ表示素子８に表示された書籍データの書誌情報を参照した後、この書籍データの購入を希望する場合には、スイッチ１２Ｌおよびスイッチ１２Ｒを操作して有機ＥＬ表示素子８上の「購入する」を選択し、スイッチ１２Ｅを操作することにより「購入する」が実行され、集中管理サーバ２から電子書籍表示装置４７へ書籍データおよび書籍データの情報のダウンロードが実行される。このとき、「購入しない」を選択して実行した場合、図９に示す選択したカテゴリの書籍データのタイトルの一覧が表示された画面に戻るようになっている。
【０１３４】
そして、集中管理サーバ２から電子書籍表示装置４７へ書籍データおよび書誌情報のダウンロードが終了すると、図１６に示すように、電子書籍表示装置４７の有機ＥＬ表示素子８に選択した書籍データのダウンロードが終了したことが表示されるとともに、他の書籍データの購入を「続行する」、「終了する」といった選択項目が表示される。そこで、スイッチ１２Ｌ、スイッチ１２Ｒおよびスイッチ１２Ｅを順次操作して「続行する」を実行すると、有機ＥＬ表示素子８には、図７に示した各カテゴリの一覧が表示される。また、先の有機ＥＬ表示素子８に書籍データの購入を「続行する」、「終了する」といった選択項目が表示されている際に、スイッチ１２Ｌ、スイッチ１２Ｒおよびスイッチ１２Ｅを順次操作して「終了する」を実行すると、電子書籍表示装置４７と集中管理サーバ２とのネットワーク接続が切断され、取引が終了される。
【０１３５】
そして、前述した工程により電子書籍表示装置５へ入力された書籍データおよび書籍データの情報を閲覧するには、まず、電子書籍表示装置４７のスイッチ１２Ｐを長押しして電子書籍表示装置４７の電源をＯＮ状態にする。すると、図４５に示すように、有機ＥＬ表示素子８に「ネットワーク接続」および「Ｍｙカテゴリ一覧」といった選択項目が表示される。そして、「Ｍｙカテゴリ一覧」を選択して実行すると、図１７に示すように、有機ＥＬ表示素子８に電子書籍表示装置４７のメモリ１０に記憶されている書籍データのカテゴリの一覧が表示される。
【０１３６】
そして、書籍データのカテゴリの一覧からスイッチ１２Ｌおよびスイッチ１２Ｒを操作して閲覧を希望する書籍データのカテゴリを選択し、スイッチ１２Ｅを操作して実行すると、図１８に示すように、有機ＥＬ表示素子８に電子書籍表示装置４７のメモリ１０に記憶されている選択したカテゴリの書籍データのタイトルの一覧が表示される
そして、書籍データのタイトルの一覧からスイッチ１２Ｌおよびスイッチ１２Ｒを操作して閲覧を希望する書籍データのタイトルを選択し、スイッチ１２Ｅを操作して実行すると、図１９に示すように、書籍データのタイトル、著者名、総ページ数、ブックマークページ数、内容の簡単な解説といった書誌情報とが有機ＥＬ表示素子８に表示されるとともに、「続きから」、「最初から」、「１つ前の画面に戻る」、「削除する」といった選択項目が表示される。このとき、選択した書籍データが閲覧途中でそのページがブックマークされている場合には、「続きから」を実行することによりブックマークされているページから閲覧を開始することができる。また、選択した書籍データが既に閲覧済みであったり不要な場合には、「削除する」を選択して実行することによりこの書籍データをメモリ１０から削除することができる。
【０１３７】
そして、有機ＥＬ表示素子８に表示された書籍データの書誌情報を確認して最初から閲覧を実行するには、スイッチ１２Ｌおよびスイッチ１２Ｒを操作して「最初から」を選択し、スイッチ１２Ｅを操作することにより「最初から」が実行され、図２０に示すように、有機ＥＬ表示素子８に書籍データの最初のページが表示される。そして、スイッチ１２Ｌおよびスイッチ１２Ｒを操作することにより書籍データのページの送り戻しが行われ、スイッチ１２Ｅを操作することにより表示されているページをブックマークすることができる。そして、書籍データの閲覧を終了する場合には、スイッチ１２Ｐを長押しすることにより電子書籍表示装置４７の電源がＯＦＦ状態となり終了される。
【０１３８】
以上説明した構成からなる本第３実施形態の電子書籍表示装置４７によれば、電子書籍表示装置４７を所有する利用者が、電子書籍表示装置４７の無線通信部４８により直接集中管理サーバ２にアクセスして書籍データを購入し、電子書籍表示装置４７に直接書籍データをダウンロードし、さらに、電子書籍表示装置４７に出力手段を設けていないため、書籍データの転用および転売を防止することができる。このため、書籍データの中古販売市場の参入を防止することができ、販売元からは正当な数量の販売が行われ、正当な利益を得ることができる。
【０１３９】
また、各書籍データを電子書籍表示装置４７の制御部９のＲＯＭに記憶された解凍プログラムにのみ互換性を有する形式に圧縮したファイルとすることにより、この解凍プログラムが記憶されていない他の表示装置へのダウンロードおよび解凍を規制することができ、転売や二次複製を防止することができる。
【０１４０】
なお、本発明は、前述した実施の形態に限定されるものではなく、必要に応じて種々の変更が可能である。
【図面の簡単な説明】
【０１４１】
【図１】本発明の電子書籍配信システムの第１実施形態を示す概略図
【図２】本発明の電子書籍表示装置の第１実施形態を示す正面図
【図３】図２の側面図
【図４】本第１実施形態の電子書籍表示装置の構成を示すブロック図
【図５】本実施形態の電子書籍配信システムの書籍データのダウンロードの工程を示すフロートチャート
【図６】本実施形態の電子書籍表示装置の書籍データの表示の工程を示すフロートチャート
【図７】本第１実施形態の電子書籍表示装置の表示例を示す概略図
【図８】本第１実施形態の電子書籍表示装置の表示例を示す概略図
【図９】本第１実施形態の電子書籍表示装置の表示例を示す概略図
【図１０】本第１実施形態の電子書籍表示装置の表示例を示す概略図
【図１１】本第１実施形態の電子書籍表示装置の表示例を示す概略図
【図１２】本第１実施形態の電子書籍表示装置の表示例を示す概略図
【図１３】本第１実施形態の電子書籍表示装置の表示例を示す概略図
【図１４】本第１実施形態の電子書籍表示装置の表示例を示す概略図
【図１５】本第１実施形態の電子書籍表示装置の表示例を示す概略図
【図１６】本第１実施形態の電子書籍表示装置の表示例を示す概略図
【図１７】本第１実施形態の電子書籍表示装置の表示例を示す概略図
【図１８】本第１実施形態の電子書籍表示装置の表示例を示す概略図
【図１９】本第１実施形態の電子書籍表示装置の表示例を示す概略図
【図２０】本第１実施形態の電子書籍表示装置の表示例を示す概略図
【図２１】本発明の電子書籍配信システムの第２実施形態を示す概略図
【図２２】本実施形態の電子書籍配信端末の構成を示すブロック図
【図２３】本発明の電子書籍表示装置の第２実施形態を示す正面図
【図２４】図２３の側面図
【図２５】図２３の電子書籍表示装置のヒンジ部内の構成を示す概略図
【図２６】本第２実施形態の電子書籍表示装置の構成を示すブロック図
【図２７】本実施形態の電子書籍配信端末の表示例を示す概略図
【図２８】本実施形態の電子書籍配信端末の表示例を示す概略図
【図２９】本実施形態の電子書籍配信端末の表示例を示す概略図
【図３０】本実施形態の電子書籍配信端末の表示例を示す概略図
【図３１】本実施形態の電子書籍配信端末の表示例を示す概略図
【図３２】本実施形態の電子書籍配信端末の表示例を示す概略図
【図３３】本実施形態の電子書籍配信端末の表示例を示す概略図
【図３４】本実施形態の電子書籍配信端末の表示例を示す概略図
【図３５】本実施形態の電子書籍配信端末の表示例を示す概略図
【図３６】本実施形態の電子書籍配信端末の表示例を示す概略図
【図３７】本第２実施形態の電子書籍表示装置の表示例を示す概略図
【図３８】本第２実施形態の電子書籍表示装置の表示例を示す概略図
【図３９】本第２実施形態の電子書籍表示装置の表示例を示す概略図
【図４０】本第２実施形態の電子書籍表示装置の表示例を示す概略図
【図４１】本発明の電子書籍配信システムの第３実施形態を示す概略図
【図４２】本実施形態の電子書籍配信端末の構成を示すブロック図
【図４３】本第３実施形態の電子書籍表示装置の構成を示すブロック図
【図４４】本第３実施形態の電子書籍表示装置の他の形態の構成を示すブロック図
【図４５】本第３実施形態の電子書籍表示装置の表示例を示す概略図
【図４６】本第３実施形態の電子書籍表示装置の表示例を示す概略図
【符号の説明】
【０１４２】
１  電子書籍配信システム
２  集中管理サーバ
３  移動体通信機
４  ケーブル
５  電子書籍表示装置
６  ケーシング
７  蓋部材
８  有機ＥＬ表示素子
９  制御部
１０  メモリ
１１  インターフェース
１２  スイッチ
１３  バッテリー
１４  接続端子
２１  電子書籍配信システム
２２  電子書籍配信端末
２３  ネットワーク回線
２４  タッチパネル式表示装置
２５  制御部
２６  接続ケーブル
２７  電子書籍表示装置
２８  ケーシング
２９  ケーシング
３０  蓋部材
３１  有機ＥＬ表示素子
３２  制御部
３３  メモリ
３４  フレキシブル回路基板
３５  インターフェース
３６  スイッチ
３７  バッテリー
３８  接続端子
４１  電子書籍配信システム
４２  電子書籍配信端末
４３  ハードディスク
４４  タッチパネル式表示装置
４５  制御部
４６  接続ケーブル
４７  電子書籍表示装置
４８  無線通信部
４９  アンテナ
【図１】
2007304885.tif 000003
【図２】
2007304885.tif 000004
【図３】
2007304885.tif 000005
【図４】
2007304885.tif 000006
【図５】
2007304885.tif 000007
【図６】
2007304885.tif 000008
【図７】
2007304885.tif 000009
【図８】
2007304885.tif 000010
【図９】
2007304885.tif 000011
【図１０】
2007304885.tif 000012
【図１１】
2007304885.tif 000013
【図１２】
2007304885.tif 000014
【図１３】
2007304885.tif 000015
【図１４】
2007304885.tif 000016
【図１５】
2007304885.tif 000017
【図１６】
2007304885.tif 000018
【図１７】
2007304885.tif 000019
【図１８】
2007304885.tif 000020
【図１９】
2007304885.tif 000021
【図２０】
2007304885.tif 000022
【図２１】
2007304885.tif 000023
【図２２】
2007304885.tif 000024
【図２３】
2007304885.tif 000025
【図２４】
2007304885.tif 000026
【図２５】
2007304885.tif 000027
【図２６】
2007304885.tif 000028
【図２７】
2007304885.tif 000029
【図２８】
2007304885.tif 000030
【図２９】
2007304885.tif 000031
【図３０】
2007304885.tif 000032
【図３１】
2007304885.tif 000033
【図３２】
2007304885.tif 000034
【図３３】
2007304885.tif 000035
【図３４】
2007304885.tif 000036
【図３５】
2007304885.tif 000037
【図３６】
2007304885.tif 000038
【図３７】
2007304885.tif 000039
【図３８】
2007304885.tif 000040
【図３９】
2007304885.tif 000041
【図４０】
2007304885.tif 000042
【図４１】
2007304885.tif 000043
【図４２】
2007304885.tif 000044
【図４３】
2007304885.tif 000045
【図４４】
2007304885.tif 000046
【図４５】
2007304885.tif 000047
【図４６】
2007304885.tif 000048